(57)【特許請求の範囲】
【請求項１】
グリル庫の前面開口を開閉するグリル扉をグリル庫に収納されるグリル皿に連結するグリル扉の連結装置であって、
グリル扉に、グリル扉の後方に突出する上片部と下片部とを有する連結金具が固定され、連結金具の上片部と下片部との間にグリル皿に固定の係止片が挟持されて、グリル皿に係止片と連結金具とを介してグリル扉が連結されるものにおいて、
係止片の横方向長さよりも連結金具の横方向長さを短くし、
連結金具から横方向両側に張り出す係止片の張り出し部と張り出し部に対向するグリル扉の裏面部分とに、前後方向に嵌り合う雄型と雌型の係合部が形成され、雄型と雌型の係合部の嵌り合いによりグリル扉が横方向に傾くことが防止されることを特徴とするグリル扉の連結装置。
【発明の詳細な説明】
【技術分野】
【０００１】
本発明は、グリル庫の前面開口を開閉するグリル扉をグリル庫に収納されるグリル皿に連結するグリル扉の連結装置に関する。
【背景技術】
【０００２】
従来、この種の連結装置として、グリル扉に、グリル扉の後方に突出する上片部と下片部とを有する連結金具が固定され、連結金具の上片部と下片部との間にグリル皿に固定の係止片が挟持されて、グリル皿に係止片と連結金具とを介してグリル扉が連結されるようにしたものが知られている(例えば、特許文献１参照)。
【０００３】
ところで、コストダウンを図るには、連結金具を横方向長さの短い小型のものにすることが望まれる。然し、連結金具の横方向長さを短くすると、グリル扉が横方向に傾きやすくなってしまう。
【先行技術文献】
【特許文献】
【０００４】
【特許文献１】特開２００１−３１７７４６号公報
【発明の概要】
【発明が解決しようとする課題】
【０００５】
本発明は、以上の点に鑑み、横方向長さの短い連結金具を用いてコストダウンを図ると共に、グリル扉が横方向に傾くことも防止できるようにしたグリル扉の連結装置を提供することをその課題としている。
【課題を解決するための手段】
【０００６】
上記課題を解決するために、本発明は、グリル庫の前面開口を開閉するグリル扉をグリル庫に収納されるグリル皿に連結するグリル扉の連結装置であって、グリル扉に、グリル扉の後方に突出する上片部と下片部とを有する連結金具が固定され、連結金具の上片部と下片部との間にグリル皿に固定の係止片が挟持されて、グリル皿に係止片と連結金具とを介してグリル扉が連結されるものにおいて、係止片の横方向長さよりも連結金具の横方向長さを短くし、連結金具から横方向両側に張り出す係止片の張り出し部と張り出し部に対向するグリル扉の裏面部分とに、前後方向に嵌り合う雄型と雌型の係合部が形成され、雄型と雌型の係合部の嵌り合いによりグリル扉が横方向に傾くことが防止されることを特徴とする。
【０００７】
本発明によれば、横方向長さの短い連結金具を用いてコストダウンを図ることができる。更に、係止片の張り出し部に形成した雄型又は雌型の係合部にグリル扉の裏面部分に形成した雌型又は雄型の係合部が前後方向に嵌り合うように係合するため、横方向長さの短い連結金具を用いても、グリル扉が横方向に傾くことを防止できる。
【図面の簡単な説明】
【０００８】
【図１】本発明の実施形態の連結装置を具備するグリルの切断側面図。
【図２】図１のグリルの要部の拡大切断側面図。
【図３】図１のグリルに設けられたグリル扉とグリル皿の斜視図。
【図４】図１のグリルに設けられたグリル扉の分解斜視図。
【発明を実施するための形態】
【０００９】
図１を参照して、１はコンロ、２はコンロ１に組み込んだグリルを示している。このグリル２は、グリル庫３と、グリル庫３の前面開口を開閉するグリル扉４と、グリル庫３に収納されるグリル皿５とを備えている。グリル皿５上には焼き網６が支持されており、焼き網６に載せた被調理物がグリル庫３の天井部に装着された上火バーナ３１で焼成されるようにしている。
【００１０】
グリル扉４は、本発明の実施形態の連結装置によってグリル皿５に連結され、グリル扉４の開閉操作によってグリル皿５がグリル庫３に出し入れされる。図２乃至図４も参照して、グリル扉４は、扉本体４１と裏板４２とで構成される。扉本体４１の裏面下部には、後方にのびる横方向中央のボス部４１１と横方向両側部のボス部４１２とが突設され、裏板４２をこれらボス部４１１，４１２に螺入するネジ４３で扉本体４１の裏面に取付けている。
【００１１】
連結装置は、グリル扉４に固定された連結金具７と、グリル皿５に固定された係止片８とを備えている。連結金具７は、板バネ製であって、上下両端に後方に屈曲する上片部７１と下片部７２とを有する側面視コ字状に形成されている。連結金具７の上下方向にのびる中間片部７３は、グリル扉４の扉本体４１と裏板４２との間に装着され、上片部７１が裏板４２に形成した孔４２１を通してグリル扉４の後方に突出し、下片部７２が裏板４２の下方からグリル扉４の後方に突出する。
【００１２】
中間片部７３には、ボス部４１１に対する逃げ孔７３１が形成されている。そして、中間片部７３の逃げ孔７３１の上縁に、ボス部４１１の上面に形成した後向きの段部４１３に当接する当て部７３２を設け、更に、扉本体４１の裏面に、ボス部４１１の下方近傍に位置させて、中間片部７３の下部前面に当接する当て部４１４を設け、中間片部７３が扉本体４１と裏板４２との間に挟持されるようにしている。また、上片部７１が前方に押されることで中間片部７３が前方に撓むことを防止するため、中間片部７３の上部を裏板４２の孔４２１から突出させて、孔４２１の上方の裏板４２の部分の後面に中間片部７３の上部を当接させている。
【００１３】
係止片８は、グリル皿５の前端から前方に張り出すフランジ部８１と、フランジ部８１の前縁から下方に屈曲する垂下板部８２とで構成されている。フランジ部８１の横方向中央部には孔８１１が形成され、この孔８１１に、連結金具７の上片部７１の後端部に形成した下方に屈曲する爪部７１１が挿入される。また、連結金具７の下片部７２の前後方向中間部には、前向きの段部７２１が形成される。そして、垂下板部８２の下端が段部７２１に係合した状態で、係止片８が上片部７１と下片部７２との間に挟持されて、グリル皿５に係止片８と連結金具７とを介してグリル扉４が連結されるようにしている。尚、下片部７２の後部を押し下げて、段部７２１を垂下板部８２の下端から離脱させることにより、グリル扉４とグリル皿５との連結を解除することができる。
【００１４】
ところで、本実施形態では、連結金具７を小型化してコストダウンを図るため、係止片８の横方向長さよりも連結金具７の横方向長さを大幅に短くし、グリル皿５の全幅に亘って延在する係止片８の横方向中央部のみを連結金具７で挟持するようにしている。然し、このままでは、グリル扉４が横方向に傾きやすくなってしまう。
【００１５】
そこで、本実施形態では、連結金具７から横方向両側に張り出す係止片８の張り出し部である垂下板部８２の横方向両側部とこれに対向するグリル扉４の裏板４２の部分とに、前後方向に嵌り合う雄型と雌型の係合部９１、９２を形成している。これによれば、連結金具７から横方向に離れた部分において、グリル扉４が係止片８に、雄型と雌型の係合部９１、９２で前後方向に嵌り合うように係合することになり、連結金具７の横方向長さが短くても、グリル扉４が横方向に傾くことを防止できる。
【００１６】
以上、本発明の実施形態について図面を参照して説明したが、本発明はこれに限定されない。例えば、上記実施形態では、グリル扉４の裏板４２に後方に突出する凸部から成る雄型係合部９１を形成し、垂下板部８２に孔から成る雌型係合部９２を形成しているが、裏板４２に雌型係合部９２、垂下板部８２に雄型係合部９１を形成してもよい。また、雌型係合部９２を、雄型係合部９１が嵌る窪みで構成してもよい。
【００１７】
また、上記実施形態は、コンロ１に組み込むグリル２用のグリル扉連結装置に本発明を適用したものであるが、コンロから分離独立して設けるグリル用のグリル扉連結装置にも同様に本発明を適用できる。
【符号の説明】
【００１８】
２…グリル、３…グリル庫、４…グリル扉、５…グリル皿、７…連結金具、７１…上片部、７２…下片部、８…係止片、９１…雄型係合部、９２…雌型係合部。
【図１】
0006010057.tif 000002
【図２】
0006010057.tif 000003
【図３】
0006010057.tif 000004
【図４】
0006010057.tif 000005